(57)【要約】【課題】結合状態にあっては、繋留部同士を引き離す方向への力に対して確実に抗することができ、しかも、結合状態あっては、意図的な移行操作をしない限り、不用意な衝撃などが加えられても、結合状態から分離状態へと移行することがない留め具の提供。【解決手段】それぞれ繋ぎ止めのための繋留部を有する一対の留め具片からなり、それら一対の留め具片は結合状態と分離状態とを選択可能であり、前記結合状態にあって、前記繋留部同士を引き離そうとする第１の方向に沿った引っ張り力に対しては、互いの段部同士の係合による抜け止め作用を介して前記結合状態を保持し、前記結合状態にあって、前記第１の方向と異なる第２の方向に沿った引っ張り力に対しては、当該第２の方向に沿った磁気吸引力を介して前記結合状態を保持する。【選択図】図３
2019180801.tif 000002
【特許請求の範囲】
【請求項１】
それぞれ繋ぎ止めのための繋留部を有する一対の留め具片からなり、
それら一対の留め具片は結合状態と分離状態とを選択可能であり、
前記結合状態にあって、前記繋留部同士を引き離そうとする第１の方向に沿った引っ張り力に対しては、互いの段部同士の係合による抜け止め作用を介して前記結合状態を保持し、
前記結合状態にあって、前記第１の方向と異なる第２の方向に沿った引っ張り力に対しては、当該第２の方向に沿った磁気吸引力を介して前記結合状態を保持するようにした留め具。
【請求項２】
前記抜け止め段部は、前記結合状態のままで前記留め具片同士の回動を許容するように、断面が円環状の段部又は円環状軌跡に沿って配置され複数の段部からなる、請求項１に記載の留め具。
【請求項３】
前記一対の留め具片のそれぞれは、前記結合状態にあっては球体又は楕球体を形成するように、略半球状乃至半楕球状の外形を有する、請求項２に記載の留め具。
【請求項４】
前記半球状留め具片のそれぞれには、半径方向外方へ突出するタブが設けられている、求項３に記載の留め具。
【請求項５】
前記タブは、直径方向において、前記繋留部と反対の側の位置から半径方向外方へと突出している、請求項４に記載の留め具。
【請求項６】
前記第２の方向は、前記第１の方向に対して垂直な方向である、請求項１〜５のいずれかに記載の留め具。
【請求項７】
前記磁気吸引力は、前記一対の留め具片の一方に配置された磁石と前記一対の留め具片の他方に配置された磁石又は磁性片とにより生成される、請求項１〜６のいずれかに記載の留め具。
【請求項８】
ネックレス又はブレスレットの両端をつなぎ止めるために使用される、請求項１〜７のいずれかに記載の留め具。
【発明の詳細な説明】
【技術分野】
【０００１】
この発明は、例えば、ネックレスやブレスレット等の紐状体の繋ぎ止め等の用途に好適な留め具に係り、特に、磁気吸引作用と段部同士の係合による抜け止め作用とを併用した留め具に関する。
【背景技術】
【０００２】
磁気吸引作用と段部同士の係合による抜け止め作用とを併用した留め具は、従来より知られている（特許文献１参照）。この留め具（装身具用留め具１０）は、結合状態と分離状態とをとりうる一対の留め具片（取付部材１１ａ，１１ｂ）を有する。これらの留め具片は、装身具を構成する紐状体（チェーン３０）の端部を繋ぎ止めるための繋留部（連結部２２ａ，２２ｂ）を備える。結合状態にあって、繋留部同士が離間する方向への力が作用すると、各留め具片に突出形成された段部（切り込み１４ａ，１４ｂ）同士の係合による抜け止め作用によって留め具片同士の分離は阻止される。また、各留め具片に埋め込まれた磁石（２０ａ，２０ｂ）による磁気吸引力によって、留め具片同士は結合状態に保持される。さらに、結合状態にあって、繋留部同士が接近する方向への力が作用すると、対向斜面同士のスライドによる、当該方向と直交する方向への分力によって、留め具片同士を直交する方向へと引き離し、分離状態へと移行させることができる。
【先行技術文献】
【特許文献】
【０００３】
【特許文献１】特開２００７−１１７６３８号公報
【発明の概要】
【発明が解決しようとする課題】
【０００４】
しかしながら、上述の特許文献１に記載の留め具にあっては、留め具片同士を結合状態に保持するための磁気吸引力の方向と留め具片同士を分離させるために引き離す方向とが互いに角度９０度の関係にあるため、装身具等の使用中に、磁気吸引力と直交する方向へと何らかの衝撃が不意に加わると留め具が容易に外れることが想定される。
【０００５】
この発明は、上述の技術的背景下になされたものであり、その目的とするところは、離脱状態から結合状態への移行操作が簡単であり、結合状態にあっては、繋留部同士を引き離す方向への力に対して確実に抗することができ、しかも、結合状態あっては、意図的な移行操作をしない限り、不用意な衝撃などが加えられても、結合状態から分離状態へと容易には移行することがない留め具を提供することにある。
【０００６】
この発明のさらに他の目的並びに作用効果については、明細書の以下の記述を参照することにより、当業者であれば容易に理解されるであろう。
【課題を解決するための手段】
【０００７】
上述の技術的課題は、以下の構成を有する留め具により解決することができると考えられる。
【０００８】
すなわち、本発明の留め具は、それぞれ繋ぎ止めのための繋留部を有する一対の留め具片からなる。それら一対の留め具片は結合状態と離脱状態とを選択可能である。前記結合状態にあって、前記繋留部同士を引き離そうとする第１の方向に沿った引っ張り力に対しては、互いの段部同士の係合による抜け止め作用を介して前記結合状態を保持する。前記結合状態にあって、前記第１の方向と異なる第２の方向に沿った引っ張り力に対しては、当該第２の方向に沿った磁気吸引力を介して前記結合状態を保持する。
【０００９】
このような構成によれば、留め具片同士を結合状態に保持するための磁気吸引力の方向と留め具片同士を分離させるために引き離す方向とが一直線上に並ぶため、磁気吸引力は留め具同士の引き離しを阻止するために効率よく作用することとなり、装身具等の使用中に、何らかの衝撃が加わっても留め具が外れ難いと言う利点がある。そのため、本発明によれば、離脱状態から結合状態への移行操作が簡単であり、結合状態にあっては、繋留部同士を引き離す方向への力に対して確実に抗することができ、しかも、結合状態あっては、意図的な移行操作をしない限り、不用意に衝撃などが加えられても、結合状態から分離状態へと移行することがない留め具を提供することができる。
【００１０】
本発明の好ましい実施の態様にあっては、前記抜け止め段部は、前記結合状態のままで前記留め具片同士の回動を許容するように、断面が円環状の段部又は円環状軌跡に沿って配置され複数の段部からなる、ものであってもよい。
【００１１】
このような構成によれば、結合状態を維持したままでも、両者を相互に回動させつつ、繋留部同士のなす角度を任意に変更可能となり、装身具を構成する紐状体（例えば、チェーンや真珠玉列等々）のなす曲線に沿わせ易い利点がある。
【００１２】
このとき、前記一対の留め具片のそれぞれは、前記結合状態にあっては球体又は楕球体を形成するように、略半球状乃至半楕球状の外形を有する、ものであってもよい。
【００１３】
このような構成によれば、結合状態にあっては球状又は楕球状の外形を有することから、側断面が円形となって任意の面（例えば、皮膚の表面）上を転がることが可能となり、そのため、女性の手首に嵌めるブレスレット等の曲率の小さな輪に適用しても、使用者に違和感を与えない利点がある。
【００１４】
このとき、前記半球状留め具片のそれぞれには、半径方向外方へ突出する２つのタブが設けられている、ものであってもよい。
【００１５】
このような構成によれば、留め具同士を磁気吸引力によりしっかりと結合状態に保持しつつも、必要により、それらのタブに指先を引っかけて捩ることにより、留め具片同士を簡単に引き離すことができる利点がある。
【００１６】
このとき、前記タブは、直径方向において、前記繋留部と反対の側の位置から半径方向外方へと突出している、ものであってもよい。
【００１７】
このような構成によれば、繋留部同士が一直線上に並ぶ通常の姿勢にあっては、２つのタブのそれぞれは、繋留部のそれぞれと重なって外観体裁が良好となる利点がある。
【００１８】
なお、以上の発明において、前記第２の方向は、前記第１の方向に対して垂直な方向であれば、磁石の有する磁気吸引力は、結合状態から分離状態への移行阻止に最も有効に作用する。
【００１９】
また、前記磁気吸引力は、前記一対の留め具片の一方に配置された磁石と前記一対の留め具片の他方に配置された磁石又は磁性片とにより生成される、ものであってもよい。
【００２０】
さらに、本発明は、ネックレス又はブレスレットの両端をつなぎ止めるために使用される、ものであってもよい。
【発明の効果】
【００２１】
本発明の留め具によれば、留め具片同士を結合状態に保持するための磁気吸引力の方向と留め具片同士を分離させるために引き離す方向とが一直線上に並ぶため、磁気吸引力は留め具同士の引き離しを阻止するために効率よく作用することとなり、装身具等の使用中に、何らかの衝撃が加わっても留め具が外れ難いと言う利点がある。そのため、本発明によれば、離脱状態から結合状態への移行操作が簡単であり、結合状態にあっては、繋留部同士を引き離す方向への力に対して確実に抗することができ、しかも、結合状態あっては、意図的な移行操作をしない限り、不用意な衝撃などが加えられても、結合状態から分離状態へと移行することがない留め具を提供することができる。
【図面の簡単な説明】
【００２２】
【図１】図１は、本発明に係る留め具の使用状態における外観斜視図である。
【図２】図２は、本発明に係る留め具の分解斜視図である。
【図３】図３は、本発明に係る留め具の分離状態の断面図である。
【図４】図４は、本発明に係る留め具の結合状態の断面図である。
【図５】図５は、本発明に係る留め具の結合状態における相互回動の様子を示す説明図である。
【図６】図６は、本発明に係る留め具のタブを用いた引き離し作用の説明図である。
【図７】図７は、ブレスレットに適用した場合におげる作用説明図である。
【発明を実施するための形態】
【００２３】
以下に、本発明に係る留め具の好適な実施の一形態を添付図面を参照しながら詳細に説明する。
【００２４】
＜本発明留め具の基本構成＞
本発明に係る留め具は、一般的には紐状である２つの物体を繋ぎ止める用途に使用されるもので、通例、一本の紐状体（例えば、装身具であるネックレスやブレスレット等々）の両端を繋ぎ止めてループ状にするために使用されることが多い。斯かる留め具は、それぞれ繋ぎ止めのための繋留部を有する一対の留め具片からなり、それら一対の留め具片は結合状態と分離状態とを選択可能とされる。そして、結合状態にあって、繋留部同士を引き離そうとする第１の方向に沿った引っ張り力に対しては、互いの段部同士の係合による抜け止め作用（詳細は後述）を介して結合状態を保持し、結合状態にあって、第１の方向と異なる第２の方向に沿った引っ張り力に対しては、当該第２の方向に沿った磁気吸引力（詳細は後述）を介して結合状態を保持するようになっている。
【００２５】
＜本発明留め具の使用状態の一例＞
そのような留め具の使用状態の一例が、図１に示されている。同図に示されるように、留め具１は、装身具（例えば、ネックレスやブレスレット等）を構成する紐状部分（例えば、チェーン、ベルト、真珠玉列、等々）２の両端部同士を繋ぎ止めて、ループ状にするために使用される。なお、図において、リング２１，２２は、紐状部分２の端部と留め具１の繋留部１０１，２０１とを繋ぎ止めるための連結構造のほんの一例を示すものに過ぎない。
【００２６】
＜本発明留め具の構成の一例＞
斯かる留め具１の構成の一例が、図２〜図４に示されている。それらの図に示されるように、この留め具１は、結合状態と分離状態とをとりうる一対の留め具片１０，２０から構成される。各留め具片１０，２０のそれぞれは、繋留部１０１，２０１とタブ部１０２，２０２と磁石収容部１０３，２０３とを有する。
【００２７】
［繋留部］
繋留部１０１，２０１は、装身具（例えば、ネックレスやブレスレット等）を構成する紐状部分（例えば、チェーン、ベルト、真珠玉列、等々）２の両端部のそれぞれと当該留め具片１０，２０との繋ぎ止め部材として機能するものであり、図示例では、繋留孔１０１ａ，２０１ａを有する略瓢箪形の薄板状に形成されているが、これは繋留部の一例に過ぎない。繋留部１０１，２０１としては、その他、フック状のもの、繋留可能な突起状のもの等々、様々な構成を採用することができる。
【００２８】
［タブ］
タブ部１０２，２０２は、後に図６を参照して詳述するように、結合状態にある一対の留め具片１０，２０を、磁石１０４，２０４の吸引力に抗して引き離す際に、指の先端（含む、爪）を引っかけて捩るるための引っ掛け部材として機能するものであり、図示例では、直径方向において、繋留部１０２，２０２と反対の側に突出するように形成されているが、これはタブ部１０２，２０２の一例に過ぎない。タブ部１０２，２０２としては、円周上の任意の位置に突出させることができる。もっとも、図示のように、繋留部１０２，２０２と反対の側に突出するように形成すると、通常の使用時にあっては、タブ部１０２，２０２が繋留部２０２，１０２と重なったしまうため、タブ部１０２，２０２が留め具片１０，２０の外周から不用意に突出して使用者の皮膚に違和感を与えることがないと共に、外観体裁上も見栄えがする利点がある。
【００２９】
［磁石収容部］
磁石収容部１０３，２０３は、その内部に磁石１０４，２０４を収容すると共に、繋留部１０２，２０２とタブ部１０２，２０２とを一体に連結して保持するもので、言わば、留め具片１０，２０の中枢部と言うことができる。それらの磁石収容部１０３，２０３は、図示例にあっては、半球状ないし半楕球状の外形を有し、それら２つの磁石収容部１０３，２０３を向かい合わせに結合することにより、全体として、球体ないし楕球体が形成されるように仕組まれている。この結合は、２つの磁石１０４，２０４により生成される磁気吸引力により行われる。
【００３０】
すなわち、磁石収容部１０３，２０３内には、基準面１０７，２０７に開口する平断面円形の磁石収容穴１０５，２０５が明けられており、これらの穴１０５，２０５にディスク状ないしタブレット状の磁石１０４，２０４が挿入固定される。穴１０５，２０５内に磁石１０４，２０４を固定するためには、接着技術や圧入技術等のような公知の固定技術を採用することができる。なお、磁石１０４、２０４は表面と裏面とに異なる極性の磁極が生ずるように磁化されており、対向端面には異なる極性の磁極が生ずるように配置されている。なお、２つの磁石１０４、２０４のうち、いずれか一方は磁石に代えて、鉄板等のような磁性片であってもよい。
【００３１】
磁石収容部１０３側にあって、基準面１０７に開口する穴１０５の内周縁部には、穴１０５の周囲を僅かな隙間を残して取り巻くようにして、基準面１０７よりも距離ｄだけ凹んだ環状凹条１０６が形成されている。磁石収容部２０３側にあって、基準面２０７に開口する穴２０５の内周縁部には、穴２０５の周囲を僅かな隙間を残して取り巻くようにして、基準面２０７よりも距離ｄだけ突き出た環状凸条２０６が形成されている。このとき、図３に示されるように、環状凹条１０６の底面と磁石１０４の端面とは同一レベル（面位置）にあり、環状凸条２０６の頂面と磁石２０４の端面とは同一レベル（面位置）である。なお、環状凹条１０６と環状凸条２０６のうち、いずれか一方は、連続的な環状ではなくて、断続的な複数の弧状凹条又は弧状突条であってもよい。
【００３２】
そのため、図３において、上側の留め具片１０と下側の留め具片２０とを対向しつつ接近させると、両磁石１０４，２０４の間に生成される磁気吸引力により、上側の留め具片１０と下側の留め具片２０とは引き付けられ、環状凹条１０６と環状凸条２０６とが嵌合することにより、上側の留め具片１０と下側の留め具片２０とは、基準面１０７と基準面２０７、磁石１０４の端面と磁石２０４の端面とがそれぞれ密着する状態で、完全に吸着される。このとき、環状凹条１０６の内周面（以下、「段部」と称する）１０６ａと環状凸条２０６の外周面（以下、「段部」と称する）２０６ａとが係合することで、後述するように、抜け止め作用が生ずる。
【００３３】
＜本発明留め具の構造の一例による作用＞
以上説明した本発明留め具の構成の一例によれば、１）段部同士の係合による抜け止め作用、２）磁石の吸引力による結合状態保持作用、３）凹条及び凸条を環状とすることによる繋留部向きの変更許容作用、４）外形を球状又は楕球状とすることによる転がり許容作用、及び５）タブ部を突出させることによる簡易離脱作用、といった格別の作用効果を奏する。
【００３４】
［段部同士の係合による抜け止め作用］
図３を参照して説明したように、上述の留め具１によれば、上側の留め具片１０と下側の留め具片２０とを対向しつつ接近させると、上側の留め具片１０と下側の留め具片２０とは、完全に吸着される。このとき、環状凹条１０６の内周面（以下、「段部」と称する）１０６ａと環状凸条２０６の外周面（以下、「段部」と称する）２０６ａとが係合（当接）することによる抜け止め作用により、繋留部同士が離隔する方向（第１の方向）への引っ張り力による留め具の離脱は確実に防止される（図３、図４参照）。
【００３５】
［磁石の吸引力による結合状態保持作用］
上述の吸着状態において、磁石１０４，２０４の吸引力それ自体は第１の方向への引っ張り力（図４の矢印Ａ１，Ａ２参照）には何ら抗するものではないから、その意味では、第１の方向への引っ張り力の値に拘わらず、磁石の吸引力をさほど強大にする必要はない。一方、磁石の吸引力の方向は第１の方向と垂直な第２の方向であって、手動で留め具片同士を引き離そうとする力の方向とは一直線上に整合する関係となるから、磁石１０４，２０４の磁力をさほど増大させずとも、磁石１０４，２０４の吸引力は、第２の方向への引っ張り力には十分に抗することができ、これにより予期せぬ衝撃などにより、留め具片同士が容易に離脱することはなくなる（図４参照）。
【００３６】
［凹条及び凸条を環状とすることによる繋留部向きの変更許容作用］
上述の吸着状態において、段部同士の抜け止め作用は、上側留め具片１０の段部１０６ａと下側留め具片２０のとの係合により生ずる訳であるから、凹条１０６及び凸条２０６が環状であれば、繋留部１０１，２０１の向きを変更しても、凹部１０６と凸部２０６との係合状態が外れることはない（図３、図４参照）。そのため、このような構成によれば、装身具の紐状部分２の曲率に合うように、繋留部１０１，２０１の相対角度を変更することで、紐状部分２を留め具１を介して滑らかに繋ぐことが可能となる（図７（ａ）参照）。装身具が曲率の小さなループとなるブレスレットの場合、その効果は一層に大きい（図５及び図７（ａ））。
【００３７】
［外形を球状又は楕球状とすることによる転がり許容作用］
留め具片同士を結合してなる全体形状が球状ないし楕球状であると、皮膚に対する当たりがソフトになると共に、結合状態を維持したままで、繋留部同士１０１，２０１を結ぶ軸の周りに皮膚と接触しつつ回転することも可能となり、外観体裁も可愛らしさが増して、良好となる。
【００３８】
［タブ部を突出させることによる簡易引き離し作用］
各留め具片１０，２０の外周縁部からタブ部１０２，２０２が突出すると、それらのタブ部１０２，２０２を指先に引っ掛けて捩ることにより、それら２つの結合状態にある留め具片１０，２０を軽い力で引き剥がすことが可能となる。逆に、その分、磁石１０４，２０４の磁気強度を増すことで、不意な衝撃等による離脱の可能性をより一層に低減することもできる（図６、図７（ｂ），（ｃ）参照）。
【００３９】
［タブ部と繋留部とを直径方向に整列配置することによる美的作用］
先に説明したように、タブ部１０２，２０２と繋留部２０２，１０２とを直径方向に整列配置すると、通常の使用時にあっては、タブ部１０２，２０２が繋留部部２０２，１０２と重なったしまうため、タブ部１０２，２０２が留め具片１０，２０の外周から不用意に突出して使用者の皮膚に違和感を与えることがないと共に、外観体裁上も美観を損ねない利点がある。
【産業上の利用可能性】
【００４０】
本発明に係る留め具は、ブレスレットやネックレス等の紐状装身具の両端部を繋ぎ留めてループ状にするための留め具として、関連産業に利用することができる。
【符号の説明】
【００４１】
１                  留め具
２                  装身具の紐状部分
１０，２０          留め具片
１０１，２０１      繋留部
１０１ａ，２０１ａ  繋留孔
１０２，２０２      タブ
１０３，２０３      磁石収容部
１０４，２０４      磁石
１０５，２０５      磁石収容穴
１０６              円環状凹部
１０６ａ            内周面（段部）
２０６              円環状突条
２０６ａ            外周面（段部）
１０７，２０７      接合基準面
Ａ１，Ａ２          引っ張り力の方向を示す矢印
Ａ３，Ａ４          タブ同士を指先で捩る方向を示す矢印
Ａ５，Ａ６          結合状態のまま相互に回動する方向を示す矢印
Ａ７，Ａ８          タブ同士を指先で捩る方向を示す矢印
Ｘ                  回動の中心線
【図１】
2019180801.tif 000003
【図２】
2019180801.tif 000004
【図３】
2019180801.tif 000005
【図４】
2019180801.tif 000006
【図５】
2019180801.tif 000007
【図６】
2019180801.tif 000008
【図７】
2019180801.tif 000009